(57)【特許請求の範囲】
【請求項１】
用紙を搬送しながら搬送方向に沿って用紙にミシン目を形成するミシン目加工装置において、
ミシン目を形成するための回転ミシン刃及び回転受刃を有するミシン目加工部を、少なくとも２個有しており、
各前記ミシン目加工部を、それぞれ独立して、搬送方向に対して直交する幅方向に移動させるための、幅方向移動機構と、前記幅方向移動機構を駆動する幅移動駆動部と、を有しており、
更に、前記回転ミシン刃を前記回転受刃に対して接離方向に移動させるための、接離方向移動機構と、前記接離方向移動機構を駆動する接離移動駆動部と、を有しており、
前記回転ミシン刃及び前記回転受刃は、両刃の接近位置においてミシン目を形成するように、構成されており、
前記接離移動駆動部は、前記ミシン目加工部の前記幅方向の移動領域の外に設けられており、
更に、前記幅移動駆動部及び前記接離移動駆動部を、制御する制御部を、有しており、
前記接離方向移動機構が、前記接離移動駆動部による駆動力を受けて回転するカム部材と、前記カム部材に連動して揺動端部が前記接離方向に揺動する、揺動レバーと、前記揺動レバーの前記揺動端部の前記接近位置及び離間位置を検知する検知部とを、有しており、
少なくとも前記カム部材及び前記揺動レバーは、各前記ミシン目加工部内に設けられており、
前記回転ミシン刃は、前記揺動レバーの前記揺動端部に回転自在に支持されており、
前記制御部は、ミシン目を形成する時には、前記接離移動駆動部を作動させて、前記カム部材を回転させるとともに、前記揺動レバーの前記揺動端部を接近方向へ移動させ、前記揺動レバーの前記揺動端部が前記接近位置に来た時を前記検知部が検知すると、前記接離移動駆動部を停止させるようになっており、ミシン目を形成しない時には、前記接離移動駆動部を作動させて、前記カム部材を回転させるとともに、前記揺動レバーの前記揺動端部を離間方向へ移動させ、前記揺動レバーの前記揺動端部が前記離間位置に来た時を前記検知部が検知すると、前記接離移動駆動部を停止させるようになっている、
ことを特徴とするミシン目加工装置。
【請求項２】
用紙を搬送しながら搬送方向に沿って用紙にミシン目を形成するミシン目加工装置において、
ミシン目を形成するための回転ミシン刃及び回転受刃を有するミシン目加工部を、少なくとも２個有しており、
各前記ミシン目加工部を、それぞれ独立して、搬送方向に対して直交する幅方向に移動させるための、幅方向移動機構と、前記幅方向移動機構を駆動する幅移動駆動部と、を有しており、
更に、前記回転ミシン刃を前記回転受刃に対して接離方向に移動させるための、接離方向移動機構と、前記接離方向移動機構を駆動する接離移動駆動部と、を有しており、
前記回転ミシン刃及び前記回転受刃は、両刃の接近位置においてミシン目を形成するように、構成されており、
前記接離移動駆動部は、前記ミシン目加工部の前記幅方向の移動領域の外に設けられており、
更に、前記幅移動駆動部及び前記接離移動駆動部を、制御する制御部を、有しており、
前記接離方向移動機構が、少なくとも、前記接離移動駆動部による駆動力を受けて回転するカム部材と、前記カム部材に連動して揺動端部が前記接離方向に揺動する、揺動レバーとを、有しており、
前記カム部材及び前記揺動レバーは、各前記ミシン目加工部内に設けられており、
前記回転ミシン刃は、前記揺動レバーの前記揺動端部に回転自在に支持されており、
各前記ミシン目加工部は、前記揺動レバーの前記揺動端部の前記接近位置を調節する調節機構を、有しており、
前記調節機構は、前記揺動レバーの前記揺動端部の前記接近方向への移動を規制するように前記揺動レバーに当接可能な当接部材と、前記当接部材の位置をねじ調節するロッドと、を有している、
ことを特徴とするミシン目加工装置。
【請求項３】
前記揺動レバーは、付勢部材によって、前記カム部材に向けて付勢されている、
請求項１又は２に記載のミシン目加工装置。
【請求項４】
前記ミシン目加工部を２個有しており、
前記接離方向移動機構が、前記接離移動駆動部によって駆動される１本のカム回転軸を有しており、
各前記ミシン目加工部の前記カム部材は、１本の前記カム回転軸に、それぞれワンウェイクラッチを介して支持されており、
一方の前記ミシン目加工部の前記カム部材のワンウェイクラッチと、他方の前記ミシン目加工部の前記カム部材のワンウェイクラッチとは、互いに逆方向の回転制御を行うように設定されている、
請求項１〜３のいずれか１つに記載のミシン目加工装置。
【請求項５】
前記ミシン目加工部を２個有しており、
前記接離方向移動機構が、前記接離移動駆動部によってそれぞれ独立して駆動される２本のカム回転軸を有しており、
一方の前記ミシン目加工部の前記カム部材は、一方の前記カム回転軸に固定されており、他方の前記ミシン目加工部の前記カム部材は、他方の前記カム回転軸に固定されている、
請求項１〜３のいずれか１つに記載のミシン目加工装置。
【請求項６】
前記揺動レバーの前記揺動端部の前記接近位置を調節する調節機構を、有しており、
前記調節機構は、前記揺動レバーの前記揺動端部の前記接近方向への移動を規制するように前記揺動レバーに当接可能な当接部材と、前記当接部材の位置をねじ調節するロッドと、を有している、
請求項１又は請求項１を引用する請求項３〜５のいずれか１つに記載のミシン目加工装置。
【請求項７】
用紙を搬送しながら用紙に対して所定の加工を行う加工装置を、１種以上備えている、用紙加工機において、
前記加工装置が請求項１〜６のいずれか１つに記載のミシン目加工装置であり、
前記ミシン目加工装置の、前記幅移動駆動部及び前記接離移動駆動部が、加工機本体に設けられており、
前記ミシン目加工装置の、前記駆動部以外の構成部材が、前記加工機本体に対して一体的に着脱自在なユニットを構成している、
ことを特徴とする用紙加工機。
【発明の詳細な説明】
【技術分野】
【０００１】
本発明は、用紙にミシン目を形成するミシン目加工装置、及び、そのミシン目加工装置を備えた用紙加工機、に関するものである。
【背景技術】
【０００２】
搬送される用紙に搬送方向に沿ってミシン目を形成するミシン目加工装置は、例えば、特許文献１に開示されている。更に、ミシン目を任意の間隔を置きながら任意の長さだけ形成する機構、すなわち、ミシン目を形成したり形成しなかったりする機構は、例えば、特許文献２、３に開示されている。特許文献２、３の当該機構は、ミシン目を形成する回転ミシン刃を、ソレノイドによって、回転受刃に対して上下移動させるようになっている。
【先行技術文献】
【特許文献】
【０００３】
【特許文献１】特開２００５−２３９３０８号公報
【特許文献２】特開平０５−５３３８７号公報
【特許文献３】登録実用新案第３０４５２７６号公報
【発明の概要】
【発明が解決しようとする課題】
【０００４】
しかしながら、特許文献２、３の前記機構では、次のような問題がある。
（１）回転ミシン刃及び回転受刃を有するミシン目加工部が、用紙の搬送方向に対して直交する幅方向に移動する際に、ソレノイドも移動するので、ソレノイドに接続された電気配線が、曲げ伸ばしを繰り返すことによって断線したり、他の構成部材の間に挟み込まれたりする、という不具合がある。
（２）前記（１）の不具合を防止するためには、電気配線の保護手段等を設けることが考えられる。しかし、それは、コスト高や装置の大型化を招いてしまう。
（３）ソレノイドは、オンオフ制御しかできないので、ミシン目の押し込み量を調節するためには、調節手段を別に設ける必要がある。しかし、それは、部品点数の増大、構造の複雑化、コスト高等を招いてしまう。
（４）ミシン目加工部を備えた装置が、用紙加工機に対して着脱可能ではないので、取扱いにくい。
【０００５】
一方、特許文献１の装置においては、スペースが限られているので、回転ミシン刃を上下移動させる機構を設けるのが困難である。
【０００６】
本発明は、ミシン目を任意の間隔を置きながら任意の長さだけ形成する機構を、簡素な構成で実現できる、ミシン目加工装置を、提供することを、主たる目的としている。
【課題を解決するための手段】
【０００７】
本発明の第１態様は、用紙を搬送しながら搬送方向に沿って用紙にミシン目を形成するミシン目加工装置において、
ミシン目を形成するための回転ミシン刃及び回転受刃を有するミシン目加工部を、少なくとも２個有しており、
各前記ミシン目加工部を、それぞれ独立して、搬送方向に対して直交する幅方向に移動させるための、幅方向移動機構と、前記幅方向移動機構を駆動する幅移動駆動部と、を有しており、
更に、前記回転ミシン刃を前記回転受刃に対して接離方向に移動させるための、接離方向移動機構と、前記接離方向移動機構を駆動する接離移動駆動部と、を有しており、
前記回転ミシン刃及び前記回転受刃は、両刃の接近位置においてミシン目を形成するように、構成されており、
前記接離移動駆動部は、前記ミシン目加工部の前記幅方向の移動領域の外に設けられており、
更に、前記幅移動駆動部及び前記接離移動駆動部を、制御する制御部を、有しており、
前記接離方向移動機構が、前記接離移動駆動部による駆動力を受けて回転するカム部材と、前記カム部材に連動して揺動端部が前記接離方向に揺動する、揺動レバーと、前記揺動レバーの前記揺動端部の前記接近位置及び離間位置を検知する検知部とを、有しており、
少なくとも前記カム部材及び前記揺動レバーは、各前記ミシン目加工部内に設けられており、
前記回転ミシン刃は、前記揺動レバーの前記揺動端部に回転自在に支持されており、
前記制御部は、ミシン目を形成する時には、前記接離移動駆動部を作動させて、前記カム部材を回転させるとともに、前記揺動レバーの前記揺動端部を接近方向へ移動させ、前記揺動レバーの前記揺動端部が前記接近位置に来た時を前記検知部が検知すると、前記接離移動駆動部を停止させるようになっており、ミシン目を形成しない時には、前記接離移動駆動部を作動させて、前記カム部材を回転させるとともに、前記揺動レバーの前記揺動端部を離間方向へ移動させ、前記揺動レバーの前記揺動端部が前記離間位置に来た時を前記検知部が検知すると、前記接離移動駆動部を停止させるようになっている、
ことを特徴としている。
また、本発明の第２態様は、用紙を搬送しながら搬送方向に沿って用紙にミシン目を形成するミシン目加工装置において、
ミシン目を形成するための回転ミシン刃及び回転受刃を有するミシン目加工部を、少なくとも２個有しており、
各前記ミシン目加工部を、それぞれ独立して、搬送方向に対して直交する幅方向に移動させるための、幅方向移動機構と、前記幅方向移動機構を駆動する幅移動駆動部と、を有しており、
更に、前記回転ミシン刃を前記回転受刃に対して接離方向に移動させるための、接離方向移動機構と、前記接離方向移動機構を駆動する接離移動駆動部と、を有しており、
前記回転ミシン刃及び前記回転受刃は、両刃の接近位置においてミシン目を形成するように、構成されており、
前記接離移動駆動部は、前記ミシン目加工部の前記幅方向の移動領域の外に設けられており、
更に、前記幅移動駆動部及び前記接離移動駆動部を、制御する制御部を、有しており、
前記接離方向移動機構が、少なくとも、前記接離移動駆動部による駆動力を受けて回転するカム部材と、前記カム部材に連動して揺動端部が前記接離方向に揺動する、揺動レバーとを、有しており、
前記カム部材及び前記揺動レバーは、各前記ミシン目加工部内に設けられており、
前記回転ミシン刃は、前記揺動レバーの前記揺動端部に回転自在に支持されており、
各前記ミシン目加工部は、前記揺動レバーの前記揺動端部の前記接近位置を調節する調節機構を、有しており、
前記調節機構は、前記揺動レバーの前記揺動端部の前記接近方向への移動を規制するように前記揺動レバーに当接可能な当接部材と、前記当接部材の位置をねじ調節するロッドと、を有している、
ことを特徴としている。
【００１０】
本発明は、更に、次のような限定構成（ａ）〜（ｄ）を適宜選択して有するのが、好ましい。
【００１１】
（ａ）前記揺動レバーは、付勢部材によって、前記カム部材に向けて付勢されている。
【００１２】
（ｂ）前記ミシン目加工部を２個有しており、前記接離方向移動機構が、前記接離移動駆動部によって駆動される１本のカム回転軸を有しており、各前記ミシン目加工部の前記カム部材は、１本の前記カム回転軸に、それぞれワンウェイクラッチを介して支持されており、一方の前記ミシン目加工部の前記カム部材のワンウェイクラッチと、他方の前記ミシン目加工部の前記カム部材のワンウェイクラッチとは、互いに逆方向の回転制御を行うように設定されている。
【００１３】
（ｃ）前記ミシン目加工部を２個有しており、前記接離方向移動機構が、前記接離移動駆動部によってそれぞれ独立して駆動される２本のカム回転軸を有しており、一方の前記ミシン目加工部の前記カム部材は、一方の前記カム回転軸に固定されており、他方の前記ミシン目加工部の前記カム部材は、他方の前記カム回転軸に固定されている。
【００１４】
（ｄ）前記揺動レバーの前記揺動端部の前記接近位置を調節する調節機構を、有しており、前記調節機構は、前記揺動レバーの前記揺動端部の前記接近方向への移動を規制するように前記揺動レバーに当接可能な当接部材と、前記当接部材の位置をねじ調節するロッドと、を有している。
【００１５】
本発明は、用紙を搬送しながら用紙に対して所定の加工を行う加工装置を、１種以上備えている、用紙加工機において、
前記加工装置が前記本発明のいずれか１つに記載のミシン目加工装置であり、
前記ミシン目加工装置の、前記幅移動駆動部及び前記接離移動駆動部が、加工機本体に設けられており、
前記ミシン目加工装置の、前記駆動部以外の構成部材が、前記加工機本体に対して一体的に着脱自在なユニットを構成している、
ことを特徴としている。
【発明の効果】
【００１６】
本発明のミシン目加工装置によれば、接離方向移動機構及び接離移動駆動部を有しているので、用紙に対して、ミシン目を常時形成するのではなく、ミシン目を形成したり形成しなかったりすることができる。しかも、接離移動駆動部は、ミシン目加工部の幅方向の移動領域の外に設けられているので、従来のソレノイド機構が有していた不具合、すなわち、コスト高、装置の大型化、及び構造の複雑化等という不具合を、解消できる。
【００１７】
更に、本発明によれば、接離方向移動機構を有するミシン目加工装置の構成を、簡素化できる。
【００１８】
前記構成（ａ）によれば、揺動レバーを、確実に、カム部材に、連動させることができる。
【００１９】
前記構成（ｂ）によれば、１本のカム回転軸を用いるだけで、２個のミシン目加工部の回転ミシン刃の接離作動を別々に実行できるので、装置の性能を安価に向上できる。したがって、ミシン目を形成したり形成しなかったりすることを、２個のミシン目加工部において自由に行うことができ、ミシン目の形成パターンの自由度を増大できる。
【００２０】
前記構成（ｃ）によれば、２個のミシン目加工部の回転ミシン刃の接離作動を、完全に別々に実行でき、例えば、同時に別々に実行できる。したがって、ミシン目を形成したり形成しなかったりすることを、２個のミシン目加工部において自由に行うことができ、ミシン目の形成パターンの自由度をより増大できる。
【００２１】
前記構成（ｄ）によれば、調節機構によって当接部材の位置を調節できるので、回転ミシン刃の、最下位置すなわち回転受刃に対する接近位置を、調節でき、したがって、ミシン目の押し込み量を調節できる。
【００２２】
本発明の用紙加工機によれば、次のような効果を発揮できる。
（ｉ）駆動部以外の構成部材を、ユニットとして、加工機本体に対して着脱できるので、取扱いが容易である。また、他の加工ユニットと容易に取り替えることができる。
（ii）幅移動駆動部及び上下移動駆動部が、加工機本体に設けられているので、次のような効果を発揮できる。
(ii-1) 前記駆動部による振動が、幅方向移動機構及び上下方向移動機構に伝わるのを、堅固な加工機本体によって低減できる。したがって、各機構の作動を安定して実行でき、正確なミシン目加工を実現できる。
(ii-2) 振動による騒音を低減でき、したがって、良好な作業環境を実現できる。
(ii-3) 前記駆動部を他の加工ユニットと共用でき、したがって、用紙加工機をコンパクトに且つ安価に構成できる。
【図面の簡単な説明】
【００２３】
【図１】本発明のミシン目加工装置を備えた用紙加工機の模式断面図である。
【図２】図１の用紙加工機におけるミシン目加工装置の部分を示している。
【図３】ミシン目加工ユニットを上流側から見た正面図である。
【図４】ミシン目加工ユニットを下流側から見た正面図である。
【図５】ミシン目加工ユニットの平面図である。
【図６】図３のVI矢視図であり、右側板の正面図である。
【図７】図３のVII矢視図であり、左側板の正面図である。
【図８】図３のVIII−VIII断面矢視図である。
【図９】図８中のミシン目加工部のみを示す図である。
【図１０】図９のＸ矢視図である。
【図１１】ミシン目加工部の上体を上流側から見た左斜視図である。
【図１２】ミシン目加工部の一作動状態を示しており、図９に相当する図である。
【図１３】用紙の加工内容の例を示す平面図である。
【図１４】第２変形形態のミシン目加工ユニットを上流側から見た右斜視図である。
【図１５】第２変形形態のミシン目加工ユニットを上流側から見た左斜視図である。
【図１６】第３変形形態のミシン目加工ユニットの、図１０に相当する図である。
【発明を実施するための形態】
【００２４】
［全体構成］
図１は、本発明の一実施形態のミシン目加工装置、を備えた用紙加工機の、模式断面図である。用紙加工機１は、加工機本体１０の両端に、給紙トレイを有する給紙部１１と、排紙トレイを有する排紙部１２と、を備えている。給紙部１１から排紙部１２へは、多数個の対のローラ２１からなる搬送部２によって搬送経路２０が構成されている。搬送部２は、用紙を、給紙部１１から排紙部１２へ向けて、矢印Ｓ方向に、搬送するようになっている。矢印Ｓが示す搬送方向において、給紙部１１側を「上流側」と称し、排紙部１２側を「下流側」と称する。なお、搬送部２には、搬送駆動部（図示せず）が連結している。そして、搬送経路２０上には、給紙部１１側から、搬送補正部、情報読取部、及びリジェクト部等（図示せず）を、経て、第１加工装置３、第２加工装置４、及び第３加工装置５等が設けられている。これらは全て加工機本体１０に支持されている。
【００２５】
また、用紙加工機１は、加工機全体の作動を制御する制御部６を加工機本体１０内に備えている。制御部６は、操作パネル（図示せず）に接続したＣＰＵを有している。更に、用紙加工機１は、用紙の加工によって発生する切屑を収容するためのゴミ箱１０１を加工機本体１０内の底部に有している。
【００２６】
第１〜第３加工装置３、４、５としては、例えば、用紙を搬送方向に沿って裁断する裁断加工装置、用紙に搬送方向に沿って折り型を形成する折り型加工装置、及び用紙に搬送方向に沿ってミシン目を形成するミシン目加工装置等を、採用できる。そして、本発明では、第３加工装置５として、ミシン目加工装置を採用している。
【００２７】
［ミシン目加工装置］
本実施形態のミシン目加工装置５は、ミシン目を形成するための回転ミシン刃及び回転受刃を有する、２個のミシン目加工部と、回転受刃を回転させるための回転機構と、回転機構を駆動する回転駆動部と、各ミシン目加工部を、それぞれ独立して、搬送方向に対して直交する幅方向に移動させるための、幅方向移動機構と、幅方向移動機構を駆動する幅移動駆動部と、回転ミシン刃を回転受刃に対して接離方向に移動させるための、接離方向移動機構と、接離方向移動機構を駆動する接離移動駆動部と、幅移動駆動部及び接離移動駆動部を制御する制御部と、を備えている。ミシン目加工装置５においては、接離方向移動機構によって、回転ミシン刃が、回転受刃に対して、接近位置と離間位置とを取り得るようになっている。本実施形態では、接離方向は上下方向である。よって、本実施形態では、接離方向移動機構を上下方向移動機構と称し、接離移動駆動部を上下移動駆動部と称する。
【００２８】
図２は、用紙加工機１におけるミシン目加工装置５の部分を示している。本発明のミシン目加工装置５は、ミシン目加工ユニット５１と、ミシン目加工ユニット５１を駆動する駆動部（図示せず）と、からなっている。ミシン目加工ユニット５１は、加工機本体１０に構成された受容部５２に対して、着脱自在に構成されている。駆動部は、加工機本体１０に設けられている。
【００２９】
図３は、加工ユニット５１を上流側から見た正面図である。図４は、加工ユニット５１を下流側から見た正面図である。図５は、加工ユニット５１の平面図である。
【００３０】
加工ユニット５１は、天板５１１と、天板５１１の両端部から垂下された右側板５１２及び左側板５１３と、両側板５１２、５１３の下端部を連結した底フレーム５１４と、によって外枠体５０が構成されている。そして、外枠体５０の内部スペース５００には、２個のミシン目加工部７Ａ、７Ｂが設けられている。天板５１１の上面には、加工ユニット５１を受容部５２に対して着脱する際に把持する取手５１１１が、２個設けられている。
【００３１】
図６は、図３のVI矢視図であり、右側板５１２の正面図である。図７は、図３のVII矢視図であり、左側板５１３の正面図である。右側板５１２と左側板５１３との間には、ねじ軸６１Ａ、６１Ｂと、カム回転軸６２と、ガイド軸６３と、駆動軸６４と、ガイド軸６５Ａ、６５Ｂと、ねじ軸６６Ａ、６６Ｂとが、平行に、渡設されている。ねじ軸６１Ａ、６１Ｂは、内部スペース５００の上部の同じ高さ位置に設けられている。ねじ軸６６Ａ、６６Ｂは、内部スペース５００の下部の同じ高さ位置に設けられている。ガイド軸６５Ａ、６５Ｂは、ねじ軸６６Ａ、６６Ｂの少し上の同じ高さ位置に設けられている。ミシン目加工部７Ａの作動には、ねじ軸６１Ａと、カム回転軸６２と、ガイド軸６３と、駆動軸６４と、ガイド軸６５Ａと、ねじ軸６６Ａとが、使用される。ミシン目加工部７Ｂの作動には、ねじ軸６１Ｂと、カム回転軸６２と、ガイド軸６３と、駆動軸６４と、ガイド軸６５Ｂと、ねじ軸６６Ｂとが、使用される。
【００３２】
右側板５１２と左側板５１３との間には、更に、一対の搬送ローラ６８１、６８２が渡設されている。搬送ローラ６８１、６８２は、内部スペース５００の下流側に位置している。
【００３３】
図８は、図３のVIII−VIII断面矢視図である。図８中には、ミシン目加工部７Ａが含まれている。図９は、図８中のミシン目加工部７Ａのみを示す図である。図１０は、図９のＸ矢視図である。なお、ミシン目加工部７Ａの構造とミシン目加工部７Ｂの構造とは、概ね鏡像関係にある。ここでは、ミシン目加工部７Ａについて説明する。
【００３４】
ミシン目加工部７Ａは、回転ミシン刃７０１を有する上体７１と、回転受刃７５１を有する下体７５と、からなっている。
【００３５】
（回転機構）
回転受刃７５１は、駆動軸６４と共に回転するように、設けられている。回転ミシン刃７０１は、回転受刃７５１に対する接近位置において、搬送される用紙に連れられて、回転受刃７５１と共に、回転するように、設けられている。
【００３６】
（幅方向移動機構）
図１１は、上体７１を上流側から見た斜視図である。上体７１の上部の突部７０２には、ねじ軸６１Ａが螺挿しており、上体７１は、ねじ軸６１Ａが回転すると、ガイド軸６３に沿って幅方向（矢印Ｗ方向）に移動するようになっている。なお、幅方向とは、搬送方向に対して直交する方向である。同様に、下体７５の下部の突部７５２（図９参照）には、ねじ軸６６Ａが螺挿しており、下体７５は、ねじ軸６６Ａが回転すると、ガイド軸６５Ａに沿って幅方向に移動するようになっている。このように、ねじ軸６１Ａ、ガイド軸６３、ねじ軸６６Ａ、及びガイド軸６５Ａによって、ミシン目加工部７Ａの幅方向移動機構が構成されている。同様にして、ねじ軸６１Ｂ、ガイド軸６３、ねじ軸６６Ｂ、及びガイド軸６５Ｂによって、ミシン目加工部７Ｂの幅方向移動機構が構成されている。
【００３７】
（上下方向移動機構（接離方向移動機構））
図９に示されるように、上体７１は、カム部材７２１及び揺動レバー７２２を有している。カム部材７２１は、カム回転軸６２と共に回転するように設けられている。揺動レバー７２２は、一端部７２２１の近傍に位置するカム部材７２１に連動して、支点７２２３回りに、他端部（揺動端部）７２２２が上下方向（接離方向）に揺動するようになっている。他端部７２２２には、回転ミシン刃７０１が回転自在に支持されている。他端部７２２２は、スプリング７２２４（付勢部材）によって、受部材（当接部材）７２２５に向けて下方に付勢されており、これにより、一端部７２２１はカム部材７２１に向けて付勢されている。すなわち、カム部材７２１が回転すると、揺動レバー７２２の他端部７２２２が上下方向に揺動し、これにより、回転ミシン刃７０１が上下方向に移動し、したがって、回転ミシン刃７０１が回転受刃７５１に対して接離する。図９は、回転ミシン刃７０１が回転受刃７５１に対する接近位置にある状態を示しており、図１２は、回転ミシン刃７０１が回転受刃７５１から離れた離間位置にある状態を示している。
【００３８】
一方、左側板５１３を示す図７に示されるように、カム回転軸６２の一方の端部の近傍には、検知部７２３が設けられている。検知部７２３は、カム回転軸６２と共に回転する遮光板７２３１と、遮光板７２３１による透光と遮光との切り替わりを検知する光センサー７２３２と、を有している。遮光板７２３１は、カム部材７２１の小径部が一端部７２２１に対向した時に透光から遮光に切り替わり、カム部材７２１の大径部が一端部７２２１に当接した時に遮光から透光に切り替わるように、又は、これらの逆に切り替わるように、設定されている。カム部材７２１の小径部が一端部７２２１に対向した時、他端部７２２２すなわち回転ミシン刃７０１の高さ位置は最下位置すなわち接近位置（図９参照）となり、カム部材７２１の大径部が一端部７２２１に当接した時、他端部７２２２すなわち回転ミシン刃７０１の高さ位置は最上位置すなわち離間位置（図１２参照）となる。
【００３９】
ミシン目加工部７Ａの上下方向移動機構は、以上のように構成されている。ミシン目加工部７Ｂの上下方向移動機構も、同様に、構成されている。なお、検知部７２３は、ミシン目加工部７Ａ、７Ｂにおいて共用されている。
【００４０】
（調節機構）
上体７１の上部分７１１には、ロッド７２５が上下方向に螺挿している。ロッド７２５の最下端には、受部材７２２５が固定されている。ロッド７２５の下露出部には、受部材７２２５と一定間隔を置いてフランジ７２２６が固定されており、受部材７２２５とフランジ７２２６との間にスプリング７２２４が配置されている。したがって、他端部７２２２が受部材７２２５に当接した場合、すなわち、回転ミシン刃７０１が接近位置にある場合には、スプリング７２２４は、常に一定の長さに維持されており、それ故、常に同じ強さで、他端部７２２２すなわち回転ミシン刃７０１を付勢している。ロッド７２５の上端には、摘み７２２７が設けられている。摘み７２２７を回すと、ロッド７２５が上下に移動し、これにより、受部材７２２５の高さ位置が調節される。
【００４１】
（駆動部）
加工機本体１０には、搬送駆動部、回転駆動部、幅移動駆動部、及び上下移動駆動部（接離移動駆動部）が、設けられている。なお、何れの駆動部も図示していない。したがって、上下移動駆動部は、ミシン目加工ユニット５１の外に、すなわち、ミシン目加工部７Ａ、７Ｂの幅方向の移動領域の外に、設けられている。これらの駆動部は、いずれもモータを使用している。また、幅移動駆動部は、ミシン目加工部７Ａ用のモータと、ミシン目加工部７Ｂ用のモータと、を使用している。これらのモータは、共用可能なものは共用するのが好ましい。
【００４２】
ミシン目加工ユニット５１を受容部５２に取り付けると、回転駆動部と幅移動駆動部と上下移動駆動部とは、それぞれ、回転機構と幅方向移動機構と上下方向移動機構とに、連結されるようになっている。図６及び図７を参照しながら説明する。回転駆動部は、ギヤ８１に連結されるようになっている。ギヤ８１が回転すると、ギヤ８１に連結しているギヤ８２、８３が回転する。ギヤ８３が回転すると、搬送ローラ６８１が回転し、それに従動して搬送ローラ６８２が回転する。一方、図７に示されるように、搬送ローラ６８１の軸端部にはプーリ８９１が取り付けられており、駆動軸６４の端部にはプーリ８９２が取り付けられており、両プーリ８９１、８９２はタイミングベルト８９３によって連結されている。よって、搬送ローラ６８１が回転すると、プーリ８９１、タイミングベルト８９３、及びプーリ８９２を経て、駆動軸６４が回転し、回転受刃７５１が回転する。なお、プーリ８９１とプーリ８９２とのギヤ比は、搬送ローラ６８１の周速度と回転受刃７５１の周速度とが略等しくなるように、設定されている。幅移動駆動部は、ギヤ８４Ａ、８４Ｂにそれぞれ連結されるようになっている。ギヤ８４Ａが回転すると、ねじ軸６１Ａが回転するとともに、環状ベルト８５Ａによって連結されたねじ軸６６Ａも、回転し、これにより、ミシン目加工部７Ａが幅方向に移動する。また、ギヤ８４Ｂが回転すると、ねじ軸６１Ｂが回転するとともに、環状ベルト８５Ｂによって連結されたねじ軸６６Ｂも、回転し、これにより、ミシン目加工部７Ｂが幅方向に移動する。上下移動駆動部は、ギヤ８６に連結されるようになっている。ギヤ８６が回転すると、環状ベルト８７によって連結されたカム回転軸６２が回転する。
【００４３】
（制御部）
制御部６は、指定された加工内容に従って、幅移動駆動部及び上下移動駆動部を制御するようになっている。なお、回転駆動部は、用紙がミシン目加工ユニット５１内を搬送されている間は、一対の搬送ローラ６８１、６８２と共に常に作動している。制御部６は、例えば、図１３に示されるような加工内容の場合には、次のような制御を行うようになっている。なお、図１３に示されている加工内容は、用紙の第１幅位置Ｗ１及び第２幅位置Ｗ２において、それぞれ、長さＬ１のミシン目部分Ｍ１を形成した後、長さＬ２の非ミシン目部分（ミシン目が形成されない部分）Ｎ１を置き、更に、長さＬ１のミシン目部分Ｍ２を形成する、というものである。
【００４４】
（ａ）制御部６は、ミシン目を形成する幅位置が指定されると、幅移動駆動部を制御する。すなわち、制御部６は、ミシン目を形成する第１幅位置Ｗ１及び第２幅位置Ｗ２が指定されると、ミシン目加工部７Ａ用のモータを第１回転数Ｒ１だけ駆動するとともに、ミシン目加工部７Ｂ用のモータを第２回転数Ｒ２だけ駆動する。第１回転数Ｒ１は、ねじ軸６１Ａ及びねじ軸６６Ａを回転させてミシン目加工部７Ａを第１幅位置Ｗ１へ移動させるのに必要な値に、設定されている。第２回転数Ｒ２は、ねじ軸６１Ｂ及びねじ軸６６Ｂを回転させてミシン目加工部７Ｂを第２幅位置Ｗ２へ移動させるのに必要な値に、設定されている。
【００４５】
（ｂ）制御部６は、ミシン目を形成するパターンが指定されると、上下移動駆動部を制御する。すなわち、制御部６は、長さＬ１のミシン目部分Ｍ１を形成した後、長さＬ２の非ミシン目部分Ｎ１を置き、更に、長さＬ１のミシン目部分Ｍ２を形成する旨が、指定されると、上下移動駆動部を次のように制御するようになっている。
【００４６】
(b-1) 長さＬ１のミシン目部分Ｍ１を形成する時：
制御部６は、上下移動駆動部のモータを駆動する。これにより、カム回転軸６２と共にカム部材７２１が回転し、揺動レバー７２２の他端部７２２２が下方へ移動し、それに伴って、回転ミシン刃７０１が、下方へ移動して、回転受刃７５１に近づいていく。検知部７２３が、カム部材７２１の小径部が揺動レバー７２２の一端部７２２１に対向した時を検知すると、制御部６は、モータの駆動を停止する。この結果、回転ミシン刃７０１は、最下位置（接近位置）に移動する。これにより、回転ミシン刃７０１が、搬送される用紙に連れられて、回転受刃７５１と共に回転し、ミシン目が形成される。制御部６は、この状態を第１時間Ｔ１だけ維持する。第１時間Ｔ１は、ミシン目が長さＬ１だけ形成されるのに要する時間である。
【００４７】
(b-2) 長さＬ２の非ミシン目部分Ｎ１を置く時：
制御部６は、第１時間Ｔ１が経過すると、上下移動駆動部のモータを駆動する。これにより、カム回転軸６２と共にカム部材７２１が回転し、揺動レバー７２２の他端部７２２２が上方へ移動し、それに伴って、回転ミシン刃７０１が、上方へ移動して、回転受刃７５１から離れていく。検知部７２３が、カム部材７２１の大径部が揺動レバー７２２の一端部７２２１に当接した時を検知すると、制御部６は、モータの駆動を停止する。この結果、回転ミシン刃７０１は、最上位置（離間位置）に移動する。これにより、回転ミシン刃７０１は回転せず、それ故、ミシン目は形成されない。制御部６は、この状態を第２時間Ｔ２だけ維持する。第２時間Ｔ２は、ミシン目が長さＬ２だけ形成されないのに要する時間である。
【００４８】
(b-3) 長さＬ１のミシン目部分Ｍ２を形成する時：
制御部６は、第２時間Ｔ２が経過すると、上下移動駆動部のモータを駆動する。これにより、カム回転軸６２と共にカム部材７２１が回転し、揺動レバー７２２の他端部７２２２が下方へ移動し、それに伴って、回転ミシン刃７０１が、下方へ移動して、回転受刃７５１に近づいていく。検知部７２３が、カム部材７２１の小径部が揺動レバー７２２の一端部７２２１に対向した時を検知すると、制御部６は、モータの駆動を停止する。この結果、回転ミシン刃７０１は、最下位置（接近位置）に移動する。これにより、回転ミシン刃７０１が、搬送される用紙に連れられて、回転受刃７５１と共に回転し、ミシン目が形成される。制御部６は、この状態を第１時間Ｔ１だけ維持する。
【００４９】
［作動］
用紙加工機１において、給紙部１１の用紙は、制御部６による制御に従って、搬送経路２０上を搬送されながら、第１加工装置３、第２加工装置４、第３加工装置（ミシン目加工装置）５において、順次加工されて、排紙部１２へ排出される。
【００５０】
その際、ミシン目加工装置５は、次のように作動する。
【００５１】
（作動前）
予め、用紙に対するミシン目形成の加工内容が指定される。この指定は、通常は、作業者が操作パネルを介して行う。加工内容は、前述した図１３に示されるとおりとする。また、ミシン目加工部７Ａ、７Ｂにおける上下方向移動機構の初期状態は、回転ミシン刃７０１が回転受刃７５１に対して接近位置にある状態とする。
【００５２】
制御部６が、前述したように幅移動駆動部を制御する。これによって、ミシン目加工部７Ａが第１幅位置Ｗ１に移動し、ミシン目加工部７Ｂが第２幅位置Ｗ２に移動する。
【００５３】
（作動中）
（１）用紙が搬送されて来ると、制御部６が、回転駆動部のモータを第１時間Ｔ１だけ駆動する。回転駆動部のモータが駆動されると、ミシン目加工部７Ａ、７Ｂにおいて、駆動軸６４が回転し、回転ミシン刃７０１が、搬送される用紙に連れられて、回転受刃７５１と共に回転する。これにより、長さＬ１のミシン目部分Ｍ１が形成される。
【００５４】
（２）制御部６は、第１時間Ｔ１が経過すると、上下移動駆動部のモータを駆動する。上下移動駆動部のモータが駆動されると、ミシン目加工部７Ａ、７Ｂにおいて、カム回転軸６２が回転し、カム部材７２１が回転し、揺動レバー７２２の他端部７２２２が上方（離間方向）へ移動し、回転ミシン刃７０１が回転受刃７５１から離れていく。これにより、ミシン目は形成されなくなる。検知部７２３が、カム部材７２１の大径部が一端部７２２１に当接した時を検知すると、制御部６は、モータの駆動を停止する。これにより、回転ミシン刃７０は、最上位置となる。制御部６は、この状態を第２時間Ｔ２だけ維持する。これにより、長さＬ２の非ミシン目部分Ｎ１ができる。
【００５５】
（３）制御部６は、第２時間Ｔ２が経過すると、上下移動駆動部のモータを駆動する。上下移動駆動部のモータが駆動されると、ミシン目加工部７Ａ、７Ｂにおいて、カム回転軸６２が回転し、カム部材７２１が回転し、揺動レバー７２２の他端部７２２２が下方（接近方向）へ移動し、回転ミシン刃７０１が回転受刃７５１に近づいていく。検知部６が、カム部材７２１の小径部が一端部７２２１に対向した時を検知すると、制御部６は、モータの駆動を停止する。これにより、回転ミシン刃７０１が、最下位置すなわち回転受刃７５１に対して接近位置となる。制御部６は、この状態を第１時間Ｔ１だけ維持する。これにより、長さＬ１のミシン目部分Ｍ２が形成される。
【００５６】
［作用効果］
前記構成のミシン目加工装置５は、次のような作用効果を発揮できる。
【００５７】
（ａ）上下方向移動機構及び上下移動駆動部を有しているので、回転駆動される回転受刃７５１に対して回転ミシン刃７０１を接離できる。回転ミシン刃７０１が回転受刃７５１に対して接近位置にある時には、ミシン目が形成され、回転ミシン刃７０１が回転受刃７５１から離れた離間位置にある時には、ミシン目は形成されない。したがって、用紙に対して、ミシン目を常時形成するのではなく、ミシン目を形成したり形成しなかったりすることができる。
【００５８】
（ｂ）上下方向移動機構は、カム回転軸６２と、上体７１に設けられたカム部材７２１及び揺動レバー７２２等とで、構成されており、上下移動駆動部は、加工機本体１０に、すなわち、ミシン目加工ユニット５１の外に、すなわち、ミシン目加工部７Ａ、７Ｂの幅方向の移動領域の外に、設けられている。したがって、従来のソレノイド機構が有していた不具合を解消できる。すなわち、コスト高、装置の大型化、及び構造の複雑化等という不具合を、解消できる。
【００５９】
（ｃ）カム部材７２１の形状を変更することにより、揺動レバー７２２の揺動特性を容易に変更できる。
【００６０】
（ｄ）調節機構によって受部材７２２５の高さ位置を調節できるので、回転ミシン刃７０１の最下位置を調節できる。したがって、ミシン目の押し込み量を調節できる。
【００６１】
（ｅ）回転ミシン刃７０１が最下位置にある時には、スプリング７２２４は、常に一定の長さを有しているので、常に同じ強さで、揺動レバー７２２の他端部７２２２を付勢できる。したがって、最下位置においてミシン目が形成される際には、回転ミシン刃７０１を用紙に対して常時同じ強さで当接させることができる。よって、ミシン目を正確に形成できる。
【００６２】
（ｆ）回転駆動部は、用紙がミシン目加工ユニット５１内を搬送されている間は、一対の搬送ローラ６８１、６８２と共に常に作動している。すなわち、回転ミシン刃７０１を接離作動させる際も、用紙は搬送されている。したがって、ミシン目を形成する加工を、短時間で実行できる。
【００６３】
前記構成の用紙加工機１は、次のような作用効果を発揮できる。
【００６４】
（ｆ）ミシン目加工ユニット５１が加工機本体１０に対して着脱自在であるので、取扱いが容易である。例えば、ジャムが発生した場合には、容易に処理できる。また、他の加工ユニットに容易に交換できる。
【００６５】
（ｇ）駆動部、すなわち、回転駆動部、幅移動駆動部、及び上下移動駆動部等が、加工機本体１０に設けられているので、次のような効果を発揮できる。
(g-1) 前記駆動部による振動が、回転機構、幅方向移動機構、及び上下方向移動機構等に伝わるのを、堅固な加工機本体１０によって低減できる。したがって、各機構の作動を安定して実行でき、正確なミシン目加工を実現できる。
(g-2) 振動による騒音を低減でき、したがって、良好な作業環境を実現できる。
(g-3) 前記駆動部を他の加工ユニットと共用でき、したがって、用紙加工機１をコンパクトに且つ安価に構成できる。
【００６６】
［変形態様］
（第１変形態様）
ミシン目加工部７Ａ、７Ｂにおいて、カム回転軸６２とカム部材７２１との間に、ワンウェイクラッチ（図示せず）が設けられている。ミシン目加工部７Ａのワンウェイクラッチとミシン目加工部７Ｂのワンウェイクラッチとは、互いに逆方向の回転制御を行うように設定されている。その他は前記実施形態と同じである。
【００６７】
前記構成によれば、カム回転軸６２を一方向に回転させることにより、ミシン目加工部７Ａのカム部材７２１のみを回転させることができ、また、カム回転軸６２を他方向に回転させることにより、ミシン目加工部７Ｂのカム部材７２１のみを回転させることができる。したがって、１本のカム回転軸６２、すなわち、１つの上下移動駆動部によって、ミシン目加工部７Ａの回転ミシン刃７０１の回転受刃７５１に対する接離作動と、ミシン目加工部７Ｂの回転ミシン刃７０１の回転受刃７５１に対する接離作動とを、別々に実行できる。したがって、ミシン目を形成したり形成しなかったりすることを、各ミシン目加工部７Ａ、７Ｂにおいて自由に行うことができ、ミシン目の形成パターンの自由度を増大できる。
【００６８】
なお、このようにワンウェイクラッチを用いることができるのは、上下方向移動機構において、カム部材７２１が、双方向のいずれに回転しても作動するように構成されているからである。
【００６９】
しかも、前記構成によれば、前記各接離作動を別々に実行できる上下方向移動機構を、１本のカム回転軸６２で実現できるので、装置の性能を安価に向上できる。
【００７０】
（第２変形態様）
図１４及び図１５は、本変形形態のミシン目加工ユニットを上流側から見た右斜視図及び左斜視図である。この加工ユニット５１では、２本のカム回転軸６２Ａ、６２Ｂが平行に設けられている。また、ガイド軸６３は設けられていない。その他は、前記実施形態と同じである。なお、図１４及び図１５では、天板５１１及び底フレーム５１４は図示していない。
【００７１】
一方のカム回転軸６２Ａは、ミシン目加工部７Ａのカム部材７２１と共に回転するように設けられており、他方のカム回転軸６２Ｂは、ミシン目加工部７Ｂのカム部材７２１と共に回転するように設けられている。２本のカム回転軸６２Ａ、６２Ｂは、それぞれ、独立して、上下移動駆動部によって駆動されるようになっている。上下移動駆動部は、ギヤ８８Ａに連結して一方のカム回転軸６２Ａを回転させ、ギヤ８８Ｂに連結して他方のカム回転軸６２Ｂを回転させるようになっている。
【００７２】
前記構成によれば、ミシン目加工部７Ａの回転ミシン刃７０１の回転受刃７５１に対する接離作動と、ミシン目加工部７Ｂの回転ミシン刃７０１の回転受刃７５１に対する接離作動とを、完全に別々に実行でき、例えば、同時に別々に実行できる。したがって、ミシン目を形成したり形成しなかったりすることを、各ミシン目加工部７Ａ、７Ｂにおいて自由に行うことができ、ミシン目の形成パターンの自由度をより増大できる。
【００７３】
（第３変形形態）
図１６に示されるように、スポンジローラ９１が回転ミシン刃７０１に並設されている。スポンジローラ９１は、回転ミシン刃７０１と一体に回転するように設けられている。スポンジローラ９１は、回転ミシン刃７０１の外径より少し大きい外径を有している。その他は、前記実施形態と同じである。
【００７４】
スポンジローラ９１の外径は、回転ミシン刃７０１の外径より２ｍｍ程度大きいのが好ましい。また、スポンジローラ９１の材質は、シリコンゴムが好ましく、特に、アスカーＣで３５程度の硬度を有するものが好ましい。
【００７５】
前記構成によれば、回転ミシン刃７０１が用紙に押し込まれる前に、スポンジローラ９１が用紙を押さえるので、用紙が薄い場合でも、ミシン目を綺麗に形成できる。また、回転ミシン刃７０１が用紙から離れていく際でも、スポンジローラ９１が用紙を押さえたままであるので、回転ミシン刃７０１を、用紙を引き連れることなく、用紙から確実に引き離すことができる。
【００７６】
なお、スポンジローラ９１は、回転ミシン刃７０１の両側に設けられるのが、好ましいが、回転ミシン刃７０１の片側のみに設けられた図１６の場合でも、十分に前述の効果を発揮できる。
【００７７】
また、従来では、回転ミシン刃７０１を用紙から確実に引き離すために、ガイド部材を用いていた。しかしながら、本変形形態によれば、スポンジローラ９１を用いているので、ガイド部材は不要であり、装置構成を簡素化できる。しかるに、スポンジローラ９１は、ガイド部材と併用してもよい。
【００７８】
（その他の変形形態）
（１）ミシン目加工装置は、３個以上のミシン目加工部を有するように構成してもよい。
【００７９】
（２）ミシン目加工装置は、回転受刃７５１と搬送ローラ６８１とを別々に駆動するように構成してもよい。更に、回転ミシン刃７０１が接離作動する際に、回転受刃７５１及び搬送ローラ６８１の駆動を停止するようにしてもよい。これによれば、回転ミシン刃７０１が接離作動する際に、用紙が停止しているので、形成されるミシン目の開始位置及び終了位置の精度を向上できる。
【００８０】
（３）前記実施形態のミシン目加工装置５は、接離方向が上下方向となるように構成されている。しかるに、ミシン目加工装置は、接離方向が横方向や斜め方向となるように構成してもよい。
【００８１】
（４）前記実施形態のミシン目加工装置５は、回転受刃７５１が回転駆動されるように構成されている。しかるに、ミシン目加工装置は、回転ミシン刃７０１及び回転受刃７５１が共に回転駆動されないように構成してもよい。この場合、両刃は、搬送される用紙に連れられて回転する。
【００８２】
（５）ミシン目加工装置の検知部は、上下移動駆動部のモータの回転数（回転量）を計測することによって回転ミシン刃７０１の接近位置及び離間位置を検出するように、構成してもよい。
【００８３】
（６）前記実施形態のミシン目加工装置５の受部材（当接部材）７２２５は、揺動レバー７２２の他端部７２２２に下方から当接している。しかるに、このような当接部材は、揺動レバー７２２の他端部７２２２の下方への移動を規制できるならば、いかなる方向から当接するように設けてもよい。
【産業上の利用可能性】
【００８４】
本発明のミシン目加工装置は、従来のソレノイド機構が有していた不具合を解消できるので、産業上の利用価値が大である。
【符号の説明】
【００８５】
１  用紙加工機  ５  ミシン目加工装置  ６  制御部  ７Ａ、７Ｂ  ミシン目加工部
７０１  回転ミシン刃  ７５１  回転受刃  ７２１  カム部材  ７２２  揺動レバー
７２２１  一端部  ７２２２  他端部  ７２２４  スプリング  ７２２５  受部材
７２３  検知部  ７２５  ロッド
【図１】
0005931411.tif 000002
【図２】
0005931411.tif 000003
【図３】
0005931411.tif 000004
【図４】
0005931411.tif 000005
【図５】
0005931411.tif 000006
【図６】
0005931411.tif 000007
【図７】
0005931411.tif 000008
【図８】
0005931411.tif 000009
【図９】
0005931411.tif 000010
【図１０】
0005931411.tif 000011
【図１１】
0005931411.tif 000012
【図１２】
0005931411.tif 000013
【図１３】
0005931411.tif 000014
【図１４】
0005931411.tif 000015
【図１５】
0005931411.tif 000016
【図１６】
0005931411.tif 000017